(57)【特許請求の範囲】
【請求項１】
携帯電話機の電話番号を指定して当該携帯電話機の位置を示す位置情報を要求する要求信号を受信する要求受信手段と、
前記指定された携帯電話機の電話番号に基づき、複数種類の携帯電話網の中から当該携帯電話機に通話サービスを提供している携帯電話網を特定する特定手段と、
前記特定された携帯電話網に対し、前記指定された携帯電話機の位置情報を要求する要求信号を送信する要求送信手段と、
前記要求送信手段による要求に応じて前記携帯電話網から送信されてくる位置情報を受信する位置情報受信手段と、
前記受信した位置情報を当該位置情報の要求元へ送信する位置情報送信手段と
を備えていることを特徴とする位置情報提供装置。
【請求項２】
請求項１記載の位置情報提供装置において、
前記特定手段は、前記指定された携帯電話機の電話番号を構成する数字列のうち所定の箇所を構成する数字に基づき、前記携帯電話網を管理する通信事業者と前記携帯電話網における通信方式とを特定することによって、前記携帯電話機に通話サービスを提供している携帯電話網を特定することを特徴とする位置情報提供装置。
【請求項３】
請求項１又は２に記載の位置情報提供装置において、
前記位置情報受信手段により受信した位置情報の表現形式を前記要求元が把握可能な表現形式に変換する位置情報変換手段を備え、
前記位置情報送信手段は、前記位置情報変換手段によって表現形式を変換した位置情報を前記要求元へ送信することを特徴とする位置情報提供装置。
【請求項４】
請求項１〜３のいずれか１に記載の位置情報提供装置において、
前記位置情報の要求元は、前記携帯電話機からの緊急通報を受け付ける受付センタであることを特徴とする位置情報提供装置。
【請求項５】
サーバが携帯電話機の位置を示す位置情報を提供する位置情報提供方法であって、
携帯電話機の電話番号を指定して当該携帯電話機の位置情報を要求する要求信号を受信する要求受信ステップと、
前記指定された携帯電話機の電話番号に基づいて、複数種類の携帯電話網の中から当該携帯電話機に通話サービスを提供している携帯電話網を特定する特定ステップと、
前記特定された携帯電話網に対し、前記指定された携帯電話機の位置情報を要求する要求信号を送信する要求送信ステップと、
前記要求送信ステップによる要求に応じて前記携帯電話網から送信されてくる位置情報を受信する位置情報受信ステップと、
前記受信した位置情報を当該位置情報の要求元へ送信する位置情報送信ステップと
を備えていることを特徴とする位置情報提供方法。
【請求項６】
携帯電話機の位置を示す位置情報を当該位置情報の要求元に提供する位置情報提供方法であって、
前記位置情報の要求元が所望の携帯電話機の電話番号を取得する番号取得ステップと、
前記位置情報の要求元が、所定のサーバに対し、前記取得した携帯電話機の電話番号を指定して当該携帯電話機の位置情報を要求する要求信号を送信する送信ステップと、
前記サーバが前記送信された要求信号を受信する要求受信ステップと、
前記サーバが前記指定された携帯電話機の電話番号に基づいて、複数種類の携帯電話網の中から当該携帯電話機に通話サービスを提供している携帯電話網を特定する特定ステップと、
前記サーバが前記特定された携帯電話網に対し、前記指定された携帯電話機の位置情報を要求する要求信号を送信する要求送信ステップと、
前記携帯電話網が、前記要求送信ステップによって送信された要求信号を受信する位置情報要求受信ステップと、
前記携帯電話網が、前記位置情報要求受信ステップにより受信した要求信号に応じて、前記指定された携帯電話機の位置情報を取得し、取得した位置情報を前記サーバに送信する位置情報応答送信ステップと、
前記サーバが前記携帯電話網から送信されてくる位置情報を受信する応答受信ステップと、
前記サーバが、前記応答受信ステップにより受信した位置情報を当該位置情報の要求元へ送信する応答送信ステップと、
前記位置情報の要求元が、前記応答送信ステップにより送信されてくる位置情報を受信する受信ステップと
を備えていることを特徴とする位置情報提供方法。
【請求項７】
請求項６記載の位置情報提供方法であって、
前記番号取得ステップは、前記携帯電話網の発信者番号通知機能によって通知される電話番号を取得することを特徴とする位置情報提供方法。
【請求項８】
請求項６記載の位置情報提供方法であって、
前記番号取得ステップは、
電話網の関門交換局が、回線接続の状態を記憶している回線データベースサーバの記憶内容に基づいて前記携帯電話機の電話番号を取得するステップと、
前記関門交換局が取得した電話番号を前記サーバに通知するステップと
からなることを特徴とする位置情報提供方法。
【請求項９】
請求項６記載の位置情報提供方法であって、
前記特定ステップは、電話番号と、その電話番号を使用して通話を行う携帯電話機を収容する携帯電話網を特定するための情報とを予め記憶したデータベースの記憶内容に基づいて、前記指定された電話番号に対応する携帯電話網を特定する
ことを特徴とする位置情報提供方法。
【請求項１０】
サーバが携帯電話機の位置を示す位置情報を提供する位置情報提供方法であって、
携帯電話機の電話番号を指定して当該携帯電話機の位置情報を要求する要求信号を受信する要求受信ステップと、
前記指定された携帯電話機の電話番号に基づいて、複数種類の携帯電話網の中から当該携帯電話機に通話サービスを提供している携帯電話網を特定する特定ステップと、
前記特定された携帯電話網に対し、前記指定された携帯電話機の位置情報を要求する要求信号を送信する要求送信ステップと、
前記要求送信ステップによる要求に応じて前記携帯電話網から送信されてくる位置情報を受信する位置情報受信ステップと、
前記受信した位置情報を当該位置情報の要求元へ送信する位置情報送信ステップと
を備えていることを特徴とするサーバの位置情報提供方法。
【請求項１１】
コンピュータに、
携帯電話機の位置を示す位置情報を要求する要求信号に含まれる携帯電話機の電話番号に基づいて、複数種類の携帯電話網の中から当該携帯電話機に通話サービスを提供している携帯電話網を特定する特定機能と、
前記特定された携帯電話網に対し、前記指定された携帯電話機の位置情報を要求する要求信号を送信する要求送信機能と、
前記要求送信機能による要求に応じて前記携帯電話網から送信されてくる位置情報を当該位置情報の要求元へ転送する位置情報送信機能と
を実現させるためのプログラム。
【請求項１２】
請求項１１に記載のプログラムを記録したコンピュータ読み取り可能な記録媒体。
【発明の詳細な説明】
【０００１】
【発明の属する技術分野】
本発明は、例えば緊急通報時において通報者の位置情報を通報先へ提供する位置情報提供装置、回線交換装置、位置情報提供方法、プログラム及び記録媒体に関する。
【０００２】
【従来の技術】
携帯電話機の位置を検出し、検出した位置を第３者に通知する仕組みが従来より提案されている。このような位置通知の仕組みを例えば犯罪や事故の通報時に利用して、通報者が所持する携帯電話機の位置を警察へ通知すれば、警察は犯罪や事故の発生場所を簡単に知ることできる。
【０００３】
【発明が解決しようとする課題】
ところで、携帯電話機に用いられる通信方式には、ＰＨＳ（Personal  Handyphone  System；登録商標）方式、ＰＤＣ（Personal  Digital  Cellular）方式、ＧＳＭ（Global System for Mobile Communications）方式等のさまざまなものがあり、それぞれ異なる携帯電話網がこれらの通信方式に対応している。また、共通の通信方式であっても、通話サービスの提供主体である通信事業者が異なれば、対応する携帯電話網も異なる。
【０００４】
このように、携帯電話機に対して通話サービスを提供する携帯電話網は複数種類存在しているが、各携帯電話機の位置情報はその携帯電話機を収容する携帯電話網しか把握していない。
従って、警察のような位置情報の要求元が通報者の携帯電話機の位置を知りたい場合には、まず、その携帯電話機に通話サービスを提供する携帯電話網を特定した後に位置情報を問いあわせるか、或いは、全ての通信事業者に対して個別に問い合わせていくしかない。これは位置情報の要求元にとっては非常に負担が大きいし、不便である。
【０００５】
本発明は、このような背景の下になされたものであり、携帯電話機に通話サービスを提供する網の違いにかかわらず位置情報を簡便に提供することができる位置情報提供装置、回線交換装置、位置情報提供方法、プログラム及び記録媒体を提供することを目的としている。
【０００６】
【課題を解決するための手段】
上述した課題を解決するため、本発明は、携帯電話機の電話番号を指定して当該携帯電話機の位置を示す位置情報を要求する要求信号を受信する要求受信手段と、
前記指定された携帯電話機の電話番号に基づき、複数種類の携帯電話網の中から当該携帯電話機に通話サービスを提供している携帯電話網を特定する特定手段と、
前記特定された携帯電話網に対し、前記指定された携帯電話機の位置情報を要求する要求信号を送信する要求送信手段と、
前記要求送信手段による要求に応じて前記携帯電話網から送信されてくる位置情報を受信する位置情報受信手段と、
前記受信した位置情報を当該位置情報の要求元へ送信する位置情報送信手段と
を備えた位置情報提供装置を提供するものである。
【０００７】
この位置情報提供装置によれば、受信した要求信号によって指定されている携帯電話機の電話番号に基づいて当該携帯電話機に通話サービスを提供している携帯電話網を特定し、この携帯電話網に対して携帯電話機の位置情報を要求し、これに応じて携帯電話網から送信されてくる位置情報を受信して、これを位置情報の要求元へ送信する。従って、位置情報の要求元は、携帯電話機に通話サービスを提供する携帯電話網を特定する必要なく、位置情報を取得する。
【０００９】
また、本発明は、携帯電話機の位置を示す位置情報を当該位置情報の要求元に提供する位置情報提供方法であって、
前記位置情報の要求元が所望の携帯電話機の電話番号を取得する番号取得ステップと、
前記位置情報の要求元が、所定のサーバに対し、前記取得した携帯電話機の電話番号を指定して当該携帯電話機の位置情報を要求する要求信号を送信する送信ステップと、
前記サーバが前記送信された要求信号を受信する要求受信ステップと、
前記サーバが前記指定された携帯電話機の電話番号に基づいて、複数種類の携帯電話網の中から当該携帯電話機に通話サービスを提供している携帯電話網を特定する特定ステップと、
前記サーバが前記特定された携帯電話網に対し、前記指定された携帯電話機の位置情報を要求する要求信号を送信する要求送信ステップと、
前記携帯電話網が、前記要求送信ステップによって送信された要求信号を受信し、これに応じて前記指定された携帯電話機の位置情報を取得し、取得した位置情報を前記サーバに送信する位置情報送信ステップと、
前記サーバが前記携帯電話網から送信されてくる位置情報を受信する位置情報受信ステップと、
前記サーバが前記受信した位置情報を当該位置情報の要求元へ送信する位置情報送信ステップと、
前記位置情報の要求元が前記位置情報送信ステップによって送信された位置情報を受信する受信ステップと
を備えている位置情報提供方法を提供するものである。
【００１０】
この位置情報提供方法によれば、受信した要求信号によって指定されている携帯電話機の電話番号に基づいて当該携帯電話機に通話サービスを提供している携帯電話網を特定し、この携帯電話網に対して携帯電話機の位置情報を要求し、これに応じて携帯電話網から送信されてくる位置情報を受信して、これを位置情報の要求元へ送信する。従って、位置情報の要求元は、携帯電話機に通話サービスを提供する携帯電話網を特定する必要なく位置情報を取得する。
【００１１】
また、本発明は、サーバが携帯電話機の位置を示す位置情報を提供する位置情報提供方法であって、
携帯電話機の電話番号を指定して当該携帯電話機の位置情報を要求する要求信号を受信する要求受信ステップと、
前記指定された携帯電話機の電話番号に基づいて、複数種類の携帯電話網の中から当該携帯電話機に通話サービスを提供している携帯電話網を特定する特定ステップと、
前記特定された携帯電話網に対し、前記指定された携帯電話機の位置情報を要求する要求信号を送信する要求送信ステップと、
前記要求送信ステップによる要求に応じて前記携帯電話網から送信されてくる位置情報を受信する位置情報受信ステップと、
前記受信した位置情報を当該位置情報の要求元へ送信する位置情報送信ステップと
を備えた位置情報提供方法を提供する。
【００１２】
この位置情報提供方法によれば、受信した要求信号によって指定されている携帯電話機の電話番号に基づいて当該携帯電話機に通話サービスを提供している携帯電話網を特定し、この携帯電話網に対して携帯電話機の位置情報を要求し、これに応じて携帯電話網から送信されてくる位置情報を受信して、これを位置情報の要求元へ送信する。従って、位置情報の要求元は、携帯電話機に通話サービスを提供する携帯電話網を特定する必要なく位置情報を取得する。
【００１３】
また、本発明は、コンピュータに、
携帯電話機の位置を示す位置情報を要求する要求信号に含まれる携帯電話機の電話番号に基づいて、複数種類の携帯電話網の中から当該携帯電話機に通話サービスを提供している携帯電話網を特定する特定機能と、
前記特定された携帯電話網に対し、前記指定された携帯電話機の位置情報を要求する要求信号を生成して送信する要求送信機能と、
前記要求送信機能による要求に応じて前記携帯電話網から送信されてくる位置情報を当該位置情報の要求元へ転送する位置情報送信機能と
を実現させるためのプログラムを提供するものである。
【００１４】
このプログラムによれば、携帯電話機の位置を示す位置情報を要求する要求信号に含まれる携帯電話機の電話番号に基づいて、複数種類の携帯電話網の中から当該携帯電話機に通話サービスを提供している携帯電話網を特定し、特定した携帯電話網に対し携帯電話機の位置情報を要求し、これに応じて携帯電話網から送信されてくる位置情報を要求元へ転送することができる。従って、位置情報の要求元は、携帯電話機に通話サービスを提供する携帯電話網を特定する必要なく位置情報を取得する。
【００１５】
【発明の実施の形態】
以下、図面を参照しながら、本発明の実施形態について説明する。
Ａ：第１実施形態
Ａ−１：構成
（１）システムの全体構成
図１は、第１実施形態におけるシステムの全体構成を示すブロック図である。図１において、簡易携帯電話機１０は、通信事業者Ａが管理するＰＨＳ(登録商標)方式の簡易携帯電話網１１に収容されており、簡易携帯電話網１１が提供する通話サービスを受けるようになっている。
簡易携帯電話網１１は、簡易携帯電話機１０と無線通信を行う基地局１２と、通話回線の交換を行う交換局１３と、簡易携帯電話機１０の位置を示す位置情報を蓄積する位置情報データベースサーバ１４と、これらを結ぶ通信線（図示略）とを備えて構成されている。
なお、図１には、図面が煩雑になるのを防ぐため、基地局１２及び交換局１３をそれぞれ１局づつしか図示していないが、実際にはいずれも複数設置されている。これは後述する携帯電話網２１及び３１においても同様である。
【００１６】
基地局１２は、簡易携帯電話網１１のサービスエリア全域に渡って数百ｍ程度の間隔で多数設置されている。基地局１２は各々、半径百〜数百ｍ程度の無線セルを形成しており、自局の無線セルに在圏する簡易携帯電話機１０との間で周波数帯域１．９ＧＨｚの無線通信を行う。また、基地局１２は、自局に固有の基地局ＩＤを記憶しており、この基地局ＩＤを含む報知信号を自局の無線セル内に常時送信するようになっている。この報知信号に含まれる基地局ＩＤは、通話中のセル切替（いわゆるハンドオーバ）を行ったり、簡易携帯電話機１０の位置を表現するために用いられる。
【００１７】
交換局１３は、網１１内を伝送される呼接続信号に基づいて通話回線の交換処理を行ったり、ハンドオーバや位置登録に関する処理を行う他、発呼元の簡易携帯電話機１０の電話番号を発呼先の電話機に通知する発信者番号通知機能を備えている。
また交換局１３は、メモリ１３ａを備えており、このメモリ１３ａに図２に例示するような緊急通報先テーブルを記憶している。この緊急通報先テーブルには、警察署、消防署等の緊急通報先の電話番号が記述されている。交換局１３は、簡易携帯電話機１０からの発呼信号がこの緊急通報先テーブルに記録されている緊急通報先に対するものであることを検出すると、この発呼信号から発呼元の簡易携帯電話機１０の電話番号と位置情報を抽出し、これらを位置情報データベースサーバ１４に送信するようになっている。ここで、簡易携帯電話機１０の位置情報は、この簡易携帯電話機１０が在圏する無線セルを形成している基地局１２の基地局ＩＤによって表現されるようになっている。
【００１８】
位置情報データベースサーバ１４は、交換局１３から受信した電話番号及び位置情報を図３に示すように互いに関連付けて記憶するメモリを有しており、このメモリ内の情報を検索する機能を備えている。
【００１９】
携帯電話機２０は、通信事業者Ａが管理するＰＤＣ方式の携帯電話網２１に収容されており、この携帯電話網２１が提供する通話サービスを受けるようになっている。
携帯電話網２１は、携帯電話機２０と無線通信を行う基地局２２と、通話回線の交換を行う交換局２３と、携帯電話機２０の位置を示す位置情報を蓄積する位置情報データベースサーバ２４と、これらを結ぶ通信線とを備えている。
【００２０】
基地局２２は、携帯電話網２１のサービスエリア全域に渡って数Ｋｍ程度の間隔で多数設置されている。この基地局２２は各々、半径１〜数ｋｍ程度の無線セルを形成しており、自局の無線セルに在圏する携帯電話機２０との間で周波数帯域８００ＭＨｚや１．５ＧＨｚの無線通信を行うようになっている。また、基地局２２は、自局に固有の基地局ＩＤを記憶しており、この基地局ＩＤを含む報知信号を自局の無線セル内に常時送信している。
【００２１】
交換局２３は、簡易携帯電話機１１の交換局１３と同様に、通話回線の交換やハンドオーバ等に関する処理を行う他、発呼元の電話番号を通知する発信者番号通知機能を備えている。また、交換局２３は、図２に示したものと同様の緊急通報先テーブルをメモリ２３ａに記憶している。交換局１３は、携帯電話機２０からの発呼信号がこの緊急通報先テーブルに記録されている緊急通報先に対するものであることを検出すると、この発呼信号から発呼元の携帯電話機２０の電話番号と位置情報を抽出し、これらを位置情報データベースサーバ２４に送信するようになっている。携帯電話機２０の位置情報は、簡易携帯電話機１０と同様に、基地局２２の基地局ＩＤによって表現されるようになっている。
位置情報データベースサーバ２４は、交換局１３から受信した電話番号及び位置情報を図４に示すように互いに関連付けて記憶するメモリを備える他、このメモリ内の情報を検索する機能を備えている。
【００２２】
携帯電話機３０は、携帯電話機２０と同様にＰＤＣ方式の携帯電話機であるが、通信事業者Ｂが管理する携帯電話網３２に収容される点で異なっている。つまり、携帯電話機３０は、携帯電話網３１が提供するＰＤＣ方式の通話サービスを受けるようになっている。
携帯電話網３１は、携帯電話網２１と同様に、携帯電話機３０と無線通信を行う基地局３２と、通話回線の交換を行う交換局３３と、携帯電話機３０の位置を示す位置情報を蓄積する位置情報データベースサーバ３４と、これらを結ぶ通信線とを備えている。これら基地局３１、交換局３２、位置情報データベースサーバ３３はそれぞれ、上述した携帯電話網２１の基地局２２、交換局２３、位置情報データベースサーバ２４と同様の構成であるので詳細な説明は省略するが、図５に位置情報データベースサーバ３４がメモリに記憶している電話番号及び位置情報の例を示しておく。
なお、以下では、上述した簡易携帯電話機１０、携帯電話機２０及び携帯電話機３０を総称して電話機１０〜３０と呼び、簡易携帯電話網１１、携帯電話網２１及び携帯電話網２１を総称して網１１〜３１と呼ぶことにする。
【００２３】
上述した網１１〜１３はそれぞれ公衆電話網４０に接続されている。よって各電話機１０〜３０と公衆電話網５０に接続された電話機との間で通話回線を確立することにより、それぞれの通話者が互いに通話を行うことができるようになっている。
【００２４】
通報受付センタ５０は、警察署や消防署等に設置され、通報者からの緊急通報を受け付けるための設備である。図１には、図面が煩雑になるのを防ぐため、警察署に設けられた通報受付センタ５０の１つしか図示していないが、実際には消防署、ガス会社、電気会社或いは警備会社等の複数の緊急通報先に１つづつ設置されている。
この通報受付センタ５０は、公衆電話網５０に接続されたオペレータ端末（図示略）を備えている。このオペレータ端末は、各電話機１０〜３０からの通報を受け付けると、オペレータの指示に応じて、図示せぬ派出所やパトカー或いは消防分署に対して発動指示を送出するようになっている。この際、オペレータ端末は、後述する位置情報提供サーバに対して通報元の電話機１０〜３０の位置情報を問い合わせ、この結果得られた位置情報が示す位置に最も近い派出所等に発動指示を送出するようになっている。
【００２５】
位置情報提供サーバ６０は、図示せぬルータを介して公衆電話網４０に接続されている。この位置情報提供サーバ６０は、通報受付センタ５０からの要求に応じて、通報元の電話機１０〜３０の位置情報を提供する位置情報提供機能を備えている。より具体的には、位置情報提供サーバ６０は、通報受付センタ５０からの要求に応じて、まず、通報元の電話機１０〜３０を収容する網１１〜３１を特定し、特定した網内の位置情報データベースサーバ１４〜３４に対し通報元である電話機１０〜３０の位置情報を問い合わせる。次いで、位置情報提供サーバ６０は、位置情報データベースサーバ１４〜３４から取得した位置情報を、基地局ＩＤによる表現形式から住所による表現形式に変換して、これを通報受付センタ５０に転送するようになっている。
【００２６】
（２）位置情報提供サーバ６０の構成
次に、図６のブロック図を参照しながら、位置情報提供サーバ６０の構成について説明する。
図６に示すように、位置情報提供サーバ６０は、ＣＰＵ（Central  Processing  Unit）６１、ＲＯＭ（Read  Only  Memory）６２、ＲＡＭ（Random  Access  Memory）６３、通信部６４、ハードディスク装置６５、及びこれらを相互に接続するバス６６を備えている。
【００２７】
ＲＯＭ６２にはＩＰＬ（Initial  Program  Loader）等のサーバ各部の基本制御を司る制御プログラムが格納されている。ＣＰＵ６１は、この制御プログラムを読み出して位置情報提供サーバ６０の各部に対する基本制御処理を実行する。ＲＡＭ６３は、ＣＰＵ６１のワークエリアとして用いられ、ＣＰＵ６１によって実行されるプログラムが展開されたり、各種データが一時的に記憶される。
通信部６４は、公衆電話網４０に接続するための接続インタフェースやモデムからなり、公衆電話網４０を介して通報受付センタ５０や位置情報データベースサーバ１４〜３４とデータ通信を行う。
【００２８】
ハードディスク装置６５には、位置情報提供プログラム６５ａと、問い合わせ先決定テーブル６５ｂと、変換テーブル６５ｃとが記憶されている。
位置情報提供プログラム６５ａは、ＣＰＵ６１が、通報受付センタ５０からの要求に応じて通報元の電話機１０〜３０の位置情報を位置情報データベースサーバ１４〜３４のいずれかに問い合わせ、これに応じて位置情報データベースサーバ１４〜３４のいずれかから送信されてくる位置情報を通報受付センタ５０に転送するためのコンピュータプログラムである。
【００２９】
問い合わせ先決定テーブル６５ｂには、ＣＰＵ６１が位置情報の問い合わせ先となる位置情報データベースサーバ１４〜３４を決定するための情報が記録されている。即ち、図７に例示しているように、問い合わせ先決定テーブル６５ｂには、各通信事業者名と、各網１１〜３１の通信方式と、位置情報の問い合わせ先となる位置情報データベースサーバ１４〜３４と、各網１１〜３１において利用が許可されている電話番号とが対応付けられて記憶されている。
【００３０】
ここで、各網１１〜３１において利用される電話番号の番号体系について説明する。
各網１１〜３１に収容される電話機１０〜３０には、“０Ａ０−ＢＣＤ−ＥＦＧＨＩ”（Ａ〜Ｉは、０〜９の内のいずれかの数字）という１１桁の電話番号が割り当てられるようになっている。
図８の説明図に示すように、これら１１桁の数字うち、上位の第１〜第３桁目の数字である「０Ａ０」は、電気通信番号と呼ばれており、通信方式の違いに応じた異なる数字によって構成されている。ここでいう通信方式の違いとは、上述したＰＨＳ(登録商標)やＰＤＣ、ＧＳＭ等の違いを意味しており、具体的には、ＰＨＳ(登録商標)方式には「０７０」が割り当てられ、ＰＤＣ方式には、「０９０」が割り当てられている。従って、発呼元の電話番号の上位の第１〜第３桁目に基づいて、この発呼元の電話機の通信方式の別を判断することができる。
次に、第４〜第６桁目である「ＢＣＤ」は、「事業者識別番号」と呼ばれており、通信事業者の違いに応じた異なる数字によって構成されている。本実施形態では、通信事業者Ａには「３１１」、「３２１」、「３３１」・・・が割り当てられており、通信事業者Ｂには「４１１」「４２１」「４３１」・・・が割り当てられているものとする。従って、発呼元の電話番号の上位の第４〜第６桁目に基づいて、この発呼元の電話機１０〜３０に通話サービスを提供する通信事業者の別を判断することができる。
次に、第７〜第１１桁目である「ＥＦＧＨＩ」は、「加入者識別番号」と呼ばれており、各通信事業者が自身の通信サービスの加入者を一意に識別するための番号である。
【００３１】
このような電話番号の番号体系に基づいて、上述した問い合わせ先決定テーブル６５ｂに記録される内容が定まっている。図７に示す例では、通信事業者ＡのＰＨＳ(登録商標)方式の電話番号は、「０７０−３１１−□□□□□」、「０７０−３２１−□□□□□」、「０７０−３３１−□□□□□」・・・であり、これらの電話番号に該当する簡易携帯電話機１０の問い合わせ先は「位置情報データベースサーバ１４」であることを意味している。なお、図７に示す「□」は、「０〜９」までの任意の数が割り当てられることを意味している（これは以下の説明においても同じ）。
また、通信事業者ＡのＰＤＣ方式の電話番号は、「０９０−３１１−□□□□□」、「０９０−３２１−□□□□□」、「０９０−３３１−□□□□□」・・・であり、これらの電話番号に該当する携帯電話機２０の問い合わせ先は「位置情報データベースサーバ２４」であることを意味している。
また、通信事業者ＢのＰＤＣ方式の電話番号は、「０９０−４１１−□□□□□」、「０９０−４２１−□□□□□」、「０９０−４３１−□□□□□」・・・であり、これらの電話番号に該当する携帯電話機３０の問い合わせ先は「位置情報データベースサーバ３４」であることを意味している。
なお、図７と、図３〜図５とにおいては、電話番号に含まれる２つのハイフン「−」のうち右側のハイフンの表記位置が異なっている。これは、図７において、前述した事業者識別番号と加入者識別番号との関係を明瞭に区別するために図３〜図５とは異なる位置にハイフンを表記しているだけであり、この位置が異なるからといって電話番号が異なるというわけではない。
【００３２】
次に、変換テーブル６５ｃには、図９に示すように、各網１１〜３１の基地局１２〜３２の基地局ＩＤと、当該基地局ＩＤが示す基地局１２〜３２の位置を示す住所とが関連付けて記憶されている。これらの基地局ＩＤ及び住所は、各携帯電話網の通信事業者から提供され、予め変換テーブル６５ｃに記憶されるものとする。
【００３３】
位置情報提供サーバ６０は、上述した問い合わせ先決定テーブル６５ｂと、通報受付センタ５０から通知される通報元の電話機１０〜３０の電話番号とを参照して、位置情報の問い合わせ先となる位置情報データベースサーバ１４〜３４を決定するようになっている。さらに、位置情報提供サーバ６０は、位置情報データベースサーバ１４〜３４のいずれかから取得した基地局ＩＤを、変換テーブル６５ｃを参照して住所に変換し、この変換によって得られた住所表記の位置情報を通報受付センタ５０に送信するようになっている。
【００３４】
Ａ−２：動作
次に、図１０に示すシーケンス図を参照しながら、上記構成からなる第１実施形態の動作について説明する。以下では、簡易携帯電話機１０の電話番号を「０７０−３１１１−１１１１」とし、この簡易携帯電話機１０が基地局１２（基地局ＩＤ「ＢＳ００１」とする）が形成する無線セル内に在圏している場合を想定して動作説明を行う。
【００３５】
図１０において、簡易携帯電話機１０のユーザが、緊急通報を行うべく、図示せぬキーパッドを用いて電話番号「１１０」を入力し、発呼を指示する操作を行うと、簡易携帯電話機１０はこの操作を受け付ける（ステップＳ１）。
【００３６】
ここで、簡易携帯電話機１０は、簡易携帯電話網１１の複数の基地局１２から送出される報知信号を間欠的に受信している。発呼の指示がなされた場合、簡易携帯電話機１０は、最も受信電界強度の高い報知信号に含まれる基地局ＩＤ（ここでは「ＢＳ００１」）を含む発呼信号を基地局１２に送信する（ステップＳ２）。この発呼信号には、上記の基地局ＩＤの他にも、ユーザによって入力された発呼先の電話番号「１１０」と、自機の電話番号「０７０−３１１１−１１１１」とが含まれている。この発呼信号は、基地局１２を経由して交換局１３によって受信される。
【００３７】
交換局１３は、上記発呼信号を受信すると、この発呼信号に含まれる発呼先電話番号「１１０」と図２に示した緊急通報先テーブルとを参照して、緊急通報であるか否かを判断する。ここでは緊急通報であると判断され、交換局１３は、発呼信号から基地局ＩＤ「ＢＳ００１」及び発呼元電話番号「０７０−３１１１−１１１１」を抽出し、これらを位置情報データベースサーバ１４に送信すると共に（ステップＳ３）、発呼先電話番号「１１０」が示す電話機に対し回線接続を要求する呼接続信号を公衆電話網４０の図示せぬ交換局に送信する（ステップＳ４）。なお、緊急通報でないと判断された場合、交換局１３は、通常と同様の回線交換を行う。即ち、交換局１３は、発呼先電話番号が示す電話機に対し回線接続を要求する呼接続信号を送信する。
【００３８】
さて、公衆回線網４０の図示せぬ交換局によって上記呼接続信号が受信されると、この交換局の回線交換機能により通報受付センタ５０への通話回線が確立される（ステップＳ５）。この際、交換局１３の発信者番号通知機能により、通報受付センタ５０に対し発呼元の簡易携帯電話機１０の電話番号「０７０−３１１１−１１１１」が通知される。
【００３９】
通報受付センタ５０のオペレータは、通話回線が接続されると図示せぬオペレータ端末によって簡易携帯電話機１０のユーザとの間で通話を行い、緊急通報の内容を把握する。
さらに、オペレータは、上記オペレータ端末を操作して、位置情報提供サーバ６０に対し位置情報の提供を要求する。オペレータ端末はこの操作を受け付け、発呼元の電話番号である「０７０−３１１１−１１１１」を指定して位置情報を要求する位置情報要求信号を公衆電話網４０を介して位置情報提供サーバ６０に送信する（ステップＳ６）。
【００４０】
位置情報提供サーバ６０は、上記位置情報要求信号を受信すると、受信した要求信号に含まれている発呼元電話番号を検出し、この電話番号をキーにして問い合わせ先決定テーブル６５ｂを検索し、問い合わせ先となる位置情報データベースサーバを決定する（ステップＳ７）。ここでは、発呼元電話番号が「０７０−３１１１−１１１１」であり、図７に示す「０７０−３１１−□□□□□」に相当するので、位置情報提供サーバ６０は、位置情報の問い合わせ先は通信事業者Ａの位置情報データベースサーバ１４であると判断することになる。
【００４１】
次いで、位置情報提供サーバ６０は、発呼元電話番号「０７０−３１１１−１１１１」を指定して位置情報を要求する位置情報要求信号を公衆電話網４０及び簡易携帯電話網１１を介して通信事業者Ａの位置情報データベースサーバ１４に送信する（ステップＳ８）。
【００４２】
位置情報データベースサーバ１４は、上記位置情報要求信号を受信すると、受信した信号に含まれている発呼元電話番号を抽出し、メモリを参照してこの電話番号に対応した基地局ＩＤを抽出して（ステップＳ９）、これを位置情報提供サーバ６０に返信する（ステップＳ１０）。この場合、図３に示すように発呼元電話番号である「０７０−３１１１−１１１１」に対応する基地局ＩＤは「ＢＳ００１」であるので、位置情報提供サーバ６０は、この基地局ＩＤ「ＢＳ００１」を発呼元電話番号「０７０−３１１１−１１１１」とともに位置情報提供サーバ６０に返信することなる。
【００４３】
位置情報提供サーバ６０は、上記基地局ＩＤ「ＢＳ００１」を受信すると、図９に示す変換テーブル６５ｃを参照して、基地局ＩＤ「ＢＳ００１」に対応する住所「東京都中央区銀座１丁目」を読み出し（ステップＳ１１）、この住所を発呼元電話番号「０７０−３１１１−１１１１」とともに通報受付センタ５０に送信する（ステップＳ１２）。これにより、通報受付センタ５０のオペレータ端末には受信した位置情報が表示される等して、オペレータに通報元の位置が告知されることなる。
【００４４】
以上述べたように、上記第１実施形態の位置情報提供サーバ６０は、通報受付センタ５０からの要求に応じて、通報元である電話機１０〜３０に対し通話サービスを提供する網１１〜３１を特定し、特定した網１１〜３１内の位置情報データベースサーバ１４〜３４に対して電話機１０〜３０の位置情報を問い合わせる。従って、この第１実施形態によれば、位置情報の要求元である通報受付センタ５０は、通報元である電話機１０〜３０に通話サービスを提供する電話網１１〜３１の別にかかわらず位置情報を簡便に取得することができる。
【００４５】
また、位置情報提供サーバ６０が、位置情報データベースサーバ１４〜３４から取得した位置情報を、基地局ＩＤによる表現形式から住所による表現形式に変換して通報受付センタ５０に転送するので、通報受付センタ５０では、より把握しやすい表現形式で電話機１０〜３０の位置を知ることができる。
【００４６】
Ｂ：第２実施形態
次に、本発明の第２実施形態について説明する。
上述した第１実施形態では、交換機１３、２３、３３による発信者番号通知機能によって通報受付センタ５０に通知された電話番号を基にして位置情報を検索するようにしていた。しかしながら、電話機１０、２０、３０のユーザによって発信者番号が非通知に設定されている場合、通報受付センタ５０は、通報者の電話機１０、２０、３０の電話番号を知ることができない。そこで、この第２実施形態においては、発信者番号が非通知に設定されている場合であっても、位置情報を検索することができるようにしている。
【００４７】
図１１は、第２実施形態におけるシステムの全体構成を示すブロック図である。
図１１において、図１と共通の構成要素には図１と同じ符号を付し、説明を省略する。図１１において、図１と異なる点は、公衆電話網４０と各携帯電話網１１、２１、３１との間に公衆電話網４０側の関門交換局であるＰＯＩ１６、３６が設置されているところと、携帯電話網１１、２１、３１側にも関門交換局１５、３５が設置されているところである。
ＰＯＩ（Point  Of  Interface）１６、３６は、各通信事業者毎に設置される設備であり、ここでは図１１に示すように、公衆電話網４０と、通信事業者Ａの簡易携帯電話網１１及び携帯電話網２１との間に１つのＰＯＩ１６が設けられ、公衆電話網４０と通信事業者Ｂの携帯電話網３１との間に１つのＰＯＩ３６が設けられている。
次に、関門交換局１５、３５も各通信事業者毎に設置される設備であり、図１１に示すように、公衆電話網４０と、通信事業者Ａの簡易携帯電話網１１及び携帯電話網２１との間に１つの関門交換局１５が設けられ、公衆電話網４０と通信事業者Ｂの携帯電話網３１との間に１つの関門交換局３５が設けられている。
これらのＰＯＩ１６、３６と、関門交換局１５、３５は、図１の構成においても実際には設置された構成要素であったが、前述の第１実施形態に特有の機能を果たしていなかったので、図示は省略していた。これらのＰＯＩ１６、３６と、関門交換局１５、３５は、それぞれ自身が処理している回線の接続状態を記憶した回線データベースサーバ（図示略）を備えており、この回線データベースサーバを参照することにより、確立されている回線の接続状態を把握することが可能となっている。
【００４８】
第２実施形態の動作は以下のようになる。
図１２は、第２実施形態におけるシステム全体の動作例を示すシーケンスである。図１２において、図１０と同じ動作については同一の符号を付し、説明を省略する。
ステップＳ５において、電話機１０、２０、３０のいずれか（ここでは簡易携帯電話機１０とする）と通報受付センタ５０との間の回線が確立した後、通報受付センタ５０は、通報元の電話機の電話番号が不明なので、その電話番号を問い合わせるための電話番号問い合わせ信号を、上記回線の交換を行っているＰＯＩ１６に送信する（ステップＳ２１）。
【００４９】
一方、ＰＯＩ１６は、電話番号問い合わせ信号を受信すると、図示せぬ回線データベースサーバの記憶内容を参照し、ステップＳ５で確立している回線の交換を行っている関門交換局１５を特定する。そして、ＰＯＩ１６は、その関門交換局１５に対して上記電話番号問い合わせ信号を転送する（ステップＳ２２）。
【００５０】
関門交換局１５は、電話番号問い合わせ信号を受信すると、図示せぬ回線データベースサーバを検索して通報元の簡易携帯電話機１０の電話番号を取得し（ステップＳ２３）、これを電話番号問い合わせ信号の転送元であるＰＯＩ１６に送信する（ステップＳ２４）。
【００５１】
ＰＯＩ１６は、関門交換局１５から送信された電話番号を受信すると、これを通報受付センタ５０に転送する（ステップＳ２５）。
【００５２】
このようにして通報受付センタ５０は、通報元の簡易携帯電話機１０の電話番号を取得すると、以後は、図１０に示したステップＳ６以降と同様の処理を行って簡易携帯電話機１０の位置情報を取得する。
【００５３】
以上述べたように、上記第２実施形態によれば、発信者番号が非通知に設定されていても、通報受付センタ５０は、通報元である電話機１０〜３０を収容する電話網１１〜３１の別にかかわらず、位置情報を簡便に取得することができる。
【００５４】
Ｃ：変形例
本発明は上述した実施形態に限定されず、以下のような種々の変更が可能である。
（１）位置情報提供サーバ６０の設置形態
第１及び第２実施形態では、位置情報提供サーバ６０は公衆電話網４０に接続されていたが、必ずしもこれに限らない。即ち、位置情報提供サーバ６０は、通報受付センタ５０及び位置情報データベースサーバ１４〜３４と通信可能に接続されていればよく、公衆電話網５０や電話網１１〜３１に接続されたインターネット上に設置されていてもよい。
【００５５】
（２）位置情報の諸形態
第１及び第２実施形態の位置情報データベースサーバ１４〜３４においては基地局ＩＤを用いて電話機１０〜３０の位置を表現していたが、必ずしもこれに限定されない。
例えば、基地局１２〜３２から自局の位置を示す緯度経度情報を無線セル内に報知し、各電話機１０〜３０は受信した緯度経度情報を緊急通報先への発呼信号に含めるようにしてもよい。この場合、位置情報データベースサーバ１４〜３４に蓄積される位置情報は緯度経度によって表現されることになる。さらに、基地局ＩＤや緯度経度情報に限らず、例えば、最寄りの建物や公共施設等のランドマークや、近辺の地図情報や、近辺に設置されている固定電話の電話番号等を用いて位置を表現してもよい。
【００５６】
また、各電話機１０〜３０が、ＧＰＳ（Global  Positioning  System）機能を搭載し、このＧＰＳ機能によって得られた位置情報を位置情報データベースサーバ１４、２４、３４に通知するようにしてもよい。
【００５７】
また、各電話機１０〜３０は、通常、複数の基地局から基地局ＩＤを受信しているので、これら複数の基地局ＩＤと受信電界強度を利用して測位を行ってもよい。例えば、受信電界強度が強い順から２つの基地局ＩＤを発呼信号に含めて位置情報データベースサーバ１４、２４、３４に通知し、位置情報データベースサーバ１４、２４、３４では、これら２つの基地局ＩＤが示す基地局間の中点の位置を算出して、これを位置情報として記憶してもよい。
【００５８】
また、位置情報提供サーバ６０が基地局ＩＤを住所に変換する際には、単一の住所ではなく、複数の住所に変換するようにしてもよい。即ち、基地局ＩＤに基づいて定められた位置には、ある程度の誤差が含まれているので  位置情報提供サーバ６０は、この誤差の範囲に含まれる住所を全て抽出し、これら全てを通報受付センタ５０に通知するようにしてもよい。このようにすれば、通報受付センタ５０では、通報者が位置する可能性のあるエリアを全て把握することが可能となり、位置把握に寄与することが期待できる。
【００５９】
（３）位置情報変換の諸形態
第１及び第２実施形態では、基地局ＩＤから住所への表現形式変換を位置情報提供サーバ６０が行っていたが、必ずしもこれに限定されない。例えば、各位置情報データベースサーバ１４〜３４が行ってもよいし、通報受付センタ５０が行ってもよいし、この処理を専用に行う別ノードを各電話網１１〜３１や公衆電話網４０上に設けておいてもよい。
また、通報受付センタ５０のような位置情報の要求元が複数種類存在する場合、どのような表現形式の位置情報に変換するかということを、その位置情報要求元に応じて異ならせてもよい。この場合、位置情報提供サーバ６０は、各要求元に対応する表現形式をそれぞれ関連づけて記憶しておき、位置情報の変換処理の際にはその記憶内容に基づいて位置情報を変換すればよい。また、位置情報の要求元が位置情報要求信号に所望の表現形式を示す情報を含めて位置情報提供サーバ６０に送信し、位置情報提供サーバ６０は、その情報に基づいて位置情報を変換してもよい。
【００６０】
（４）交換局の動作
第１及び第２実施形態では、交換局１３〜３３は、発呼信号を受信すると、この発呼信号に含まれる発呼先電話番号が緊急通報先テーブルに記憶されている場合のみ、携帯電話機の位置情報を位置情報データベースサーバ１４〜３４に送信していた。
しかしながら、交換局１３〜３３は、緊急通報である場合に限らず、発呼信号に位置情報が含まれている場合には常に、電話機１０〜３０の位置情報を位置情報データベースサーバ１４〜３４に送信するようにしてもよい。このようにすれば、交換局１３〜３３は、緊急通報先テーブルを記憶する必要がない。
【００６１】
（５）位置情報要求のタイミング
第１実施形態では、通報受付センタ５０が携帯電話機との間で回線接続している間に、位置情報提供サーバ６０に位置情報を要求していたが、これに限らず、緊急通報の回線をいったん切断した後に要求してもよい。
図１３は、緊急通報の回線切断後に位置情報を要求する場合のシステム全体の動作例を示すシーケンス図である。図１３に示すように、通報受付センタ５０は、図１０に示したステップＳ１〜ステップＳ５と同様にして回線が確立するといったん回線を接続し（ステップＳ１３）、その後図１０に示したステップＳ６〜ステップＳ１２と同様にして位置情報提供サーバ６０に位置情報を問い合わせて、これを取得する。
【００６２】
（６）実施形態の応用例
第１及び第２実施形態においては緊急通報時を例に挙げて説明したが、これに限らない。要は、第３者が携帯電話機の位置を知りたい場合において、本発明は適用可能である。
また、携帯電話網に限らず固定電話網に本発明を適用してもよい。
また、ＵＩＭ（User  Identity  Module）等のＩＣチップを挿入して用いる携帯電話機であっても本発明は適用可能であることはもちろんである。この場合、ＵＩＭに記憶された電話番号と、そのＵＩＭを搭載した携帯電話機を収容する形態電話網とは固定的に対応するものではなく、そのＵＩＭが搭載される携帯電話機がいずれの携帯電話網に対応した機種であるかということによって、電話番号と携帯電話網との対応関係は変わり得る。
このような場合、位置情報提供サーバ６０は、予め、各ＵＩＭに記憶された電話番号と、各ＵＩＭが搭載された携帯電話機を収容する携帯電話網を管理する通信事業者の識別コードと、通信方式の種別を示すコードとを関連づけてデータベース化しておく。そして、位置情報提供サーバ６０は、通報受付センタ５０から指定された電話番号をキーにしてこのデータベースを検索して、位置情報を問い合わせるべき携帯電話網を特定すればよい。
【００６３】
（７）プログラムの形態
第１及び第２実施形態の位置情報提供サーバ６０が上述した処理を行うために実行するプログラムは、この位置情報提供サーバ６０にアプリケーションプログラムとしてインストールすることが可能である。例えば、位置情報提供サーバ６０のＣＰＵ６１を用いて読み取り可能な磁気記録媒体、光記録媒体あるいはＲＯＭなどの記録媒体に記録して提供することができる。また、このようなプログラムをネットワーク経由で位置情報提供サーバ６０に提供することももちろん可能である。
【００６４】
【発明の効果】
以上説明したように、本発明によれば、指定された携帯電話機の電話番号に基づいて、当該携帯電話機に通話サービスを提供している携帯電話網を特定し、特定した携帯電話網から携帯電話機の位置情報を取得し、これを要求元へ提供する。従って、位置情報の要求元では携帯電話機がいずれの携帯電話網によって通話サービスを受けているのかということにかかわらず、上記携帯電話機の位置情報を取得することができる。
【図面の簡単な説明】
【図１】  本発明の第１実施形態に係るシステム全体の構成を示すブロック図である。
【図２】  同実施形態における緊急通報先テーブルの構成を示すフォーマット図である。
【図３】  同実施形態における簡易携帯電話網の位置情報データベースサーバが記憶している位置情報の例を示すフォーマット図である。
【図４】  同実施形態における携帯電話網の位置情報データベースサーバが記憶している位置情報の例を示すフォーマット図である。
【図５】  同実施形態における携帯電話網の位置情報データベースサーバが記憶している位置情報の例を示すフォーマット図である。
【図６】  同実施形態における位置情報提供サーバの構成を示すブロック図である。
【図７】  同実施形態における問い合わせ先決定テーブルの構成を示すフォーマット図である。
【図８】  携帯電話機に割り当てられる電話番号の番号体系を説明する説明図である。
【図９】  同実施形態における変換テーブルの構成を示すフォーマット図である。
【図１０】  同実施形態におけるシステム全体の動作例を示すシーケンス図である。
【図１１】  本発明の第２実施形態に係るシステム全体の構成を示すブロック図である。
【図１２】  同実施形態におけるシステム全体の動作例を示すシーケンス図である。
【図１３】  変形例におけるシステム全体の動作例を示すシーケンス図である。
【符号の説明】
１０・・・簡易携帯電話機（携帯電話機）、
１１・・・簡易携帯電話網（携帯電話網）、
１２・・・基地局、１３・・・交換局（回線交換装置）、
１３ａ・・・メモリ（記憶手段）、１４・・・位置情報データベースサーバ
２０・・・携帯電話機（携帯電話機）、２１・・・携帯電話網（携帯電話網）、
２２・・・基地局、２３・・・交換局（回線交換装置）、
２３ａ・・・メモリ（記憶手段）、２４・・・位置情報データベースサーバ
３０・・・携帯電話機（携帯電話機）、３１・・・携帯電話網（携帯電話網）、
３２・・・基地局、３３・・・交換局（回線交換装置）、
３３ａ・・・メモリ（記憶手段）、
３４・・・位置情報データベースサーバ（所定の記憶装置）、
４０・・・公衆電話網、５０・・・通報受付センタ（要求元）、
６０・・・位置情報提供サーバ（位置情報提供装置）、
６１・・・ＣＰＵ（要求受信手段、特定手段、要求送信手段、位置情報受信手段、位置情報送信手段、位置情報変換手段）、
６２・・・ＲＯＭ、６３・・・ＲＡＭ、
６４・・・通信部（要求受信手段、要求送信手段、位置情報受信手段、位置情報送信手段）、
６５・・・ハードディスク装置、６５ａ・・・位置情報提供プログラム、
６５ｂ・・・問い合わせ先決定テーブル（特定手段）、
６５ｃ・・・変換テーブル（位置情報変換手段）、６６・・・バス。
【図１】
0003895565.tif 000002
【図２】
0003895565.tif 000003
【図３】
0003895565.tif 000004
【図４】
0003895565.tif 000005
【図５】
0003895565.tif 000006
【図６】
0003895565.tif 000007
【図７】
0003895565.tif 000008
【図８】
0003895565.tif 000009
【図９】
0003895565.tif 000010
【図１０】
0003895565.tif 000011
【図１１】
0003895565.tif 000012
【図１２】
0003895565.tif 000013
【図１３】
0003895565.tif 000014